(57)【要約】【課題】  従来の施工品質検査（竣工検査）は人為的作業が多く、多大な時間と労力を要した。煩雑であった。又、検査シール（是正箇所）と検査シート（検査結果記録）との関連がなく、検査結果が効率よく伝えられなかった。【解決手段】  本発明は、施工現場に於いて、携帯情報端末器を使用し、施工品質検査（竣工検査）行い、検査結果をネットワークを介して、ホストＰ．Ｃ．に送信、又指摘箇所に検査結果を音声入力したＱＲコードを貼ることである。ホストＰ．Ｃに送信された検査結果は編集まとめられ、協力業者にネツトワークを介して不具合箇所の是正を依頼、是正終了まで繰りかいされる以上を特徴とする施工品質検査（竣工検査）システムである【選択図】図  １
2005190463.tif 000002
【特許請求の範囲】
【請求項１】
▲Ａ▼通信回線を介して、相互に通信可能な検査者端末と、事務所側コンピュータと、業者側コンピュータと、を含み、
当該検査者端末が、図面データに基づいて竣工現場の図面を表示可能な表示手段と、当該表示手段が表示する図面内において不具合個所を特定するための特定データ及び当該不具合箇所において求める是正内容を示す是正内容データとを入力するための入力手段と、当該入力手段から入力された是正内容データに基づく是正内容を表示したＱＲコードと音声入力機能と当該特定データ及び当該是正内容データを当該図面データと関連付けて記憶するための記憶手段と、送信手段と、データ処理手段と、を含み、当該データ処理手段が、当該入力手段から入力された特定データに基づいて当該図面データを更新するとともに当該図面内に不具合箇所を当該表示手段に表示させ、かつ、当該音声入力手段に、ＱＲコード入力、さらに、当該送信手段に更新した図面データを当該事務所側コンピュータに送信させるように構成してあり、
▲Ｂ▼当該事務所側コンピュータが、受信手段と、送信手段と、表示手段と、入力手段と、編集手段と、データ処理手段と、を含み、
当該データ処理手段が、当該受信手段が受信した図面データに基づいた図面を当該表示手段に表示させ、当該入力手段から入力された業種別振り分けデータに基づいて当該図面が含む是正個所の是正を行わせる業者を編集手段に選択させ、選択された各業者宛てに担当させる是正個所を示す是正個所データを当該図面データとともに当該送信手段を介して送信させるように構成してあり、
▲Ｃ▼当該業者側コンピュータが、受信手段と、送信手段と、表示手段と、入力手段と、データ処理手段と、を含み、
当該データ処理手段が、当該受信手段が受信した図面データ及び是正個所データを当該表示手段に表示させ、当該入力手段から入力された当該是正個所の是正完了報告データを当該送信手段を介して当該事務所側コンピュータに送信させるように構成してある
ことを特徴とする竣工検査システム。
【請求項２】
前記操作者端末が、インターフェースを介してデジタルカメラを接続可能に構成してあり、
前記デジタルカメラから入力された画像データが前記是正データに含まれる
ことを特徴とする請求項１記載の竣工検査システム
。
【請求項３】
通信ネットワークを介して通信可能なＡ、Ｂ、Ｃを持って構成されることを特徴とする。各種建築施設構築物の竣工検査システムを実行するプログラム。
【請求項４】
サーバー
【請求項５】
検査方法
被検査対象の現場にて、不具合箇所を発見し、携帯情報端末機にキーボード、又は音声にて事前に入力した部屋の平面図に検査結果（住戸、タイプ、Ｎｏ．、部屋名、部位、状況）及び検査年月日、検査員名を入力。同時に音声入力したＱＲコードとする。こ音声にて事前に入力した部屋の平面図に検査結果（住戸、タイプ、Ｎｏ．、部屋名、部位、状況）及び検査年月日、検査員名を入力。同時に音声入力したＱＲコードとする。このＱＲコードを不具合箇所の横に貼り、デジタルカメラにて撮影。ネットワークを介して現場事務所のホストＰ．Ｃ．に送信される。
ホストＰ．Ｃ．に於いて検査シート（データベース、フォーマット）として整理編集、まとめられる。即ち、是正指示書（住戸別、職種別）の作成がなされ、担当協力業者にネットワークを介して送信される。
【請求項６】
本発明によれば
１、  検査指摘箇所が明白になり、是正工事施工がすみやかに着手できる。
１、  従前のように検査シート、マスキングテープを検査現場に持参し、不安定な環境でテープをカットしたり、不具合箇所に貼ったり、検査結果を検査シートに記入する苦労がなくなる。
１、  ＱＲコードと検査シートに記録される情報が同じ内容のため、協力業者が是正工事を容易に出来る。
１、  是正内容が多数の協力業者に迅速に的確に伝達される。
１、  工期の短縮になる。
１、  工事費の削減となる。
以上の項目が実現可能となる。
【請求項７】
検査の対象は各種建築施設構築物とする。即ち、１、共同住宅  ２、戸建住宅  ３、店舗  ４、事務所  ５、学校  ６、病院  ７、工場  ８、スポーツ施設  ９、倉庫  １０、ホテル  １１、神社仏閣  １２、外構  １３、土木  １４、設備  １５、電気
【発明の詳細な説明】
【技術分野】
【０００１】  本発明は各種建築施設構築物の竣工検査（出来映え、仕上がり検査）をネットワークを介して行い、品質確保のための検査業務の合理化を促進するものである。
【背景技術】
【０００２】  従来の竣工検査は建築施工現場に於いて、完成した建物が計画通り施工されているかどうか、施主（建主、お客様）に引き渡す前に技術的にも、見た目にも満足のいくものであるか、即ち工事施工者、設計管理者が設計図書施工マニュアル、事業者仕様書  、販売用パンフレット、建築基準法、消防団法等に合った出来映えであるか人為的に検査確認することであった。被検査対象物を目視にて検査し、不具合箇所を発見指摘、マスキングテープを貼り、後日、是正工事を行う時、場所がわかるようにする。又、検査現場に持参した検査シート（図−５）に部屋名、部位、状況を記入し、全住戸、全部屋を検査終了後、現場事務所に帰り、持ち帰った検査シートを職種別（例：壁、クロス）に整理、さらに業者リストから業者選別し、書面にて担当協力業者に是正工事を依頼する。各担当協力業者は是正工事の依頼を受け、現場不具合箇所の是正工事を施工し、工事施工者、設計監理者が是正終了を検査、確認し、お客様（施主、発注者）の検査に備える。これら一連の検査業務は数十年変わらず、全て手作業（人為的）で行われ、多大の労力と多くの時間を要する状況になっている。
特許文献−１  特開２００２−００４５３
特許文献−２  特開２００３−０９１５７７
特許文献−３  特開  平８  −４８０９３
特許文献−４  特開２００３−０２１３２７
特許文献−５  特開２００２−００４５８０
特許文献−６  特許第３３１８７０５
特許文献−７  特許第３２６０７８６
【発明の開示】
【発明が解決しようとする課題】
【０００３】  本発明の目的は、施工品質検査（仕上がり、出来映え）に於いて、次のような問題、即ち
１、  検査の方法は全て手作業であるため、作業に内容的・時間的に個人差が生じやすい。
１、  是正が必要な部位に貼り付ける検査シールは単なるマスキングテープであって是正個所を認識させる機能はあるが、テープは是正個所特定以外の情報を持たない。したがって、当該個所をどのように是正すべきかについての情報を明確に伝えることができない。
１、  是正内容は、一般に検査シートを介して行われるが、この検査シートの記入が個人差、ばらつきがあり、不鮮明、判読に苦労する。したがって、情報が正確に伝わりずらい。間違って伝わる場合もある、
１、  現場での記述は、ほとんどの場合に筆記板の上で立ったまま行われる。現場では足場が悪く不安定であること多い。不安定な状態で行うため、時間を多く要した。
１、  マスキングテープと検査シートの関連がないため、検査後の対応、不具合箇所を特定するのが困難。
上記の問題解決のため、次に記す方法を提供するものである。
【課題を解決するための手段】
【０００４】    上記の目的を達成するために
１  携帯情報端末器（Ｒ．Ｄ．Ａ．、図−１）の導入。
端末器（Ｐ．Ｄ．Ａ．）には下記の機能を持たせる。
Ａ、検査結果（部屋名、部位、状況等）をキーボード、又は音声にて液晶パネルに入力してある、部屋平面図に指摘、不具合箇所を入力する。
Ｂ、その情報を音声入力にて、ＱＲコードに入力する機能、即ちＱＲコードの作成機能。
Ｃ、ＱＲコードを指摘、不具合箇所に付着、それを撮影するデジカメ用端子を持つ。
Ｄ、検査結果と撮影した写真をネットワークを介して送信する機能。
Ｅ、検査結果の処理編集機能
２  ホストＰ．Ｃ．の導入
Ａ、携帯情報端末器から送信された検査結果を編集する機能。即ち、検査シート（図−５）是正指示書（データベース、住戸別、職種別、図−３、図−４）、是正工事終了報告書（図−３、図−４）を作成する機能品質検査リスト、部位名、状況名、基本図関連設定
Ｂ、デジタルカメラ画像処理機能
Ｃ、キーボード入力機能
Ｄ、送受信機能（データベース）
Ｅ、ＱＲコード：編集、まとめ機能
３  協力業者Ｐ．Ｃ．の設置、協力
Ａ、キーボード入力
Ｂ、編集機能
Ｃ、デジタルカメラ画像処理機能
Ｄ、ＱＲコード読み取り機能
にしたものである。
【発明の効果】
【０００５】      請求項−１に記載した発明は
Ａ、携帯情報端末機器（Ｐ．Ｄ．Ａ．）
情報入力キーボード、表示処理手段（液晶パネル、タッチパネル）、音声入力機能      、ＱＲコード入力、読み取り機能、デジタルカメラ用端子、送受信手段
Ｂ、ホストＰ．Ｃ．（ＯＳ：Ｌｉｎｕｘ）
情報入力キーボード、表示処理手段、表示画面、デジタルカメラ画像処理機能、情      報編集機能、ＱＲコード読み取り機能、住戸別、職種別、是正指示書、是正修了報      告書、送受信手段
Ｃ、協力業者Ｐ．Ｃ．設置
モニター、デジタルカメラ画像処理機能、表示画面、編集機能、ＱＲコード読み取      り機能
以上を備えているシステムに特徴がある。【０００６】    上記の構成を採用することにより
検査を画一的に行うことができるため、内容的・時間的に個人差が生じにくい。したがって、検査結果に客観性が生じ、これが、是正作業の迅速化と適格化に貢献する
１、  検査シール自体が情報伝達機能を有するため不具合箇所の検査内容が明白に表示される。
１、  従前のようにマスキングテープ（検査シール）、検査シートを検査現場に持参し、不安定な環境で、（テープを切断したり、張ったり、）検査シートに検査結果を記入する苦労がなくなる。
１、  ＱＲコードと検査シートの情報源が同じであるため、両者間に食い違いが生じない。したがって、後日、是正工事の時、是正指摘箇所の発見、是正内容の確認が容易になる。又、協力業者への伝達がネットワークを介して、的確迅速に行われる。
１、  検査結果がリアルタイムにやり取りできる。【０００７】  図１０に示すように、表示システム１は、検査員が竣工現場において用いる携帯端末８１と、携帯端末８１と通信回線（たとえば、インターネット）を介して通信可能な事務所側コンピュータ８０と、同じく通信可能な業者側コンピュータ８１と、から構成されている。本実施携帯で形態では、上記携帯端末８１等を各々１台づつにより構成してあるが、これは、説明を簡略化するためであって、必要に応じて各々複数台により構成することを妨げない。さらに、事務所側コンピュータ５８２や業者側コンピュータ８１を、たとえば、通信用のものとデータ保存用のものようにそれぞれ複数のコンピュータにより構成することもできる。
＊図面に基づいてハードの説明を行う。
携帯端末の構成（キーボード、音声入力機能、ＱＲコード入力機能、液晶画面等）
Ａ，携帯情報端末器
１情報入力キーボード
情報（検査結果、情報、部位、部屋名、住戸Ｎｏ．、通しＮｏ．、他入力機能）
２表示画面（タッチパネル、液晶、入力表示機能）
３ＱＲコード（音声にて入力）
４デジタルカメラ端子（デジタルカメラ接続、撮影写真を入力機能）
５送受信機能（携帯情報端末に入力された検査結果をホストＰ．Ｃ．に送信する機能）
事務所側端末の構成（汎用コンピュータ）及び機能
Ｂ，ホストＰ．Ｃ．
１入力キーボード
携帯情報端末、又は協力業者Ｐ．Ｃ．よりネットワークを介して送信された検査結果を  データベース（検査シート、是正確認書、是正指示書、言語テキスト（英数、ひらがな  、記号、符号○−○−○−○−デジタルカメラ処理、図面）にもとづき編集し、登録す  る機能
２表示画面（モニター）Ｃ．Ｒ．Ｔ．、表示機能
３Ｃ．  Ｐ．  Ｕ．
４ＱＲコード
５イメージスキャナー
６リーダー／ライター
７リードディスク
業者側端末の構成及び機能
Ｃ，協力業者Ｐ．Ｃ．
１表示画面（モニター）
２情報入力キーボード（是正工事、デジタルカメラ写真、入力）
３Ｃ．Ｐ．Ｕ．（検査結果編集、データベース登録、デジタルカメラ処理機能）
４送受信機能（検査結果（是正指示、是正工事終了報告）をネットワークを介して送受信する）
５ＱＲコード読み取り機能
６ハードディスク
７ＱＲコード入力機能【０００８】  図−２は本発明に係わる携帯情報端末器とホストＲ．Ｃ．と協力業者Ｐ．Ｃ．との全体構成図（フローチャート）である。図−７は携帯情報端末器の機能ブロック図。はホストＰ．Ｃ．の機能ブロック図。は協力業者のＰ．Ｃ．機能ブロック図である。建設現場の管理事務所に設置されている。ホストＰ．Ｃ．に既に作成されている、被検査対象の平面図に、編集機能で〔検査項目リスト、検査シート、是正指示書（住戸別、職種別）、是正報告書〕を読み込み、ハードディスクに検査対象入力画面の画像データを作成したり、蓄積する。又、キーボードの操作により、ハードディスクのファイルから呼び出し、検査シートの図面に入力される文字データ、数字、他を登録される。さらに、検査データ（検査項目、検査結果）を検査シートに編集する。即ち、検査項目、検査結果の確認、是正工事工程、是正方法、是正結果の入力、検査記録のファイル登録、また、図面データや種々のメニュー画面及びデータやデータ処理を実行する制御プログラムを登録するメモリを持つ。
又、携帯情報端末器に送信するための画像データや文字データ等を書き込み、携帯情報端末から送信される検査結果データを読み込むリーダー／ライターが接続されている。
Ｎｏ．Ｂ２９はホストＰ．Ｃ．により編集した品質検査結果データを入力する音声入力機能を示す。
図−１は検査員が持参する携帯情報端末器である。施工現場の被検査対象に於いて、タッチパネル内平面図上の該当する位置にペン等で触れ、画面図上に入力されたデータを、内蔵するＣ．Ｐ．Ｕ．からなるデータ処理装置に入力させる形式のタッチパネル式携帯情報端末器である。
又、データ処理を実行させる制御プログラムを記憶させるＲＡＭを備える。Ｉ．Ｃ．カードを内部に装置させることが出来る。
ホストＰ．Ｃ．のブロック図
図−７はホストＰ．Ｃ．の機能ブロック図を示す。検査等のデータ編集処理部（図−９）は図−７のホストＣ．Ｐ．Ｕ．のメニューを示し〔マスターデータ作成〕メニューの〔テキスト図面〕画面をＣ．Ｒ．Ｔ．に表示させる。
次に、図面登録メニューを選択し、予め作成した平面図をファイルに登録する。
又、メニューにより作成した検査シート（品質検査入力画面）等の画像データを取り出せるように登録する。言語等については、工事項目（職種）用語、英数字、ひらがな等、使用言語を読み出せるように登録する。さらに、関連設定メニューを表示し、平面図、配置図にポインティングマークで触れ、検査対象平面図を呼び出し、表示、関連設定しておく。コマンドキー「表示範囲」に触れることで、検査対象領域を切り替え表示することが出来る。又、ペンで触れるたびに、丸付数字▲２▼言語記号▲２▼−▲Ａ▼▲３▼▲３▼で表示されるように関連設定しておく。
この様に、ファイルに登録した画像データ、入力画面、使用文字等を携帯情報端末器に被検査対象の検査に関連する検査入力用データとして転送し得るようにしておく。
携帯情報端末器（図−１）から送信されてくる品質検査結果は検査シート（図−５）にまとめられ、Ｃ．Ｐ．Ｕ．上の平面図に符号にて入力される。又、入力された検査結果は編集、まとめられ、住戸別、職種別に是正指示書（是正報告書）として、協力業者Ｐ．Ｃ．に送信される。
【実施例１】
【０００９】マンション竣工検査（出来映え、仕上がり）
青梅橋マンション  ２階  ２０５号室  Ａタイプ  洋室（１）
竣工後、携帯端末情報器（図−１）を持参し、被検査現場（２０５号室洋室（１））に入る。検査現場にて、携帯情報端末に電源を入れる。目視にて不具合箇所を発見し、液晶タッチパネルに洋室（１）の平面図を先にデータベースより入力されているところに指摘不具合箇所を▲１▼▲Ａ▼▲１▼▲３▼の様に凡例にある符号を入力、ＱＲコードに住戸Ｎｏ．、タイプ、部屋名、部位状況（２０５号室、Ａタイプ、洋室（１）、壁、クロス、汚れ）を整理、編集、即ち検査シートを是正指示書、是正終了報告書（住戸別、職種別）とし、是正担当協力業者にネットワークを介して写真と共に送信する。
協力業者Ｐ．Ｃ．に送信された検査結果の情報（是正指示書）は、協力業者が検査現場にて、ＱＲコードの情報を読み取り機能で読み取り、不具合指摘箇所と照合、ＱＲコードと検査シート（是正指示書、職種別）とを確認、是正工事を終了。終了後、デジタルカメラにて是正終了箇所（壁、クロスの汚れ）をデジタルカメラにて撮影、後、協力業者事務所Ｐ．Ｃ．に於いて是正工事終了結果を編集、是正工事終了報告書（データベース、図−５）をホストＰ．Ｃ．にネットワークを介して送信。ホストＰ．Ｃ．で是正終了報告書を編集し、検査員に不具合箇所の是正終了確認指示書を渡し、是正終了、是正未済、不十分の報告をネットワークを介して、デジタルカメラ撮影写真と共にホストＰ．Ｃ．に送信する。
ホストＰ．Ｃ．に送信された是正終了確認書（図−５）は確認整理、編集を行い、再度、再是正指示書を協力業者にネットワークを介して送信。協力業者は再是正工事を行い、ホストＲＣ．に再是正工事終了報告書（図−３、４）をネットワークを介してデジタルカメラ写真と共に送信する。
ホストＰ．Ｃ．に送信された再是正工事終了報告書（図−３、４）、ホストＰ．Ｃ．、データベースに基づき、編集、まとめられ、検査員に渡され、是正未済、不十分箇所の再検査が行われ、是正終了が確認され、是正終了報告書がホストＰ．Ｃ．に於いてデータベースに基づき、作成、プリントされる。
尚、不具合箇所がなくなるまで続行される。
【産業上の利用可能性】
【００１０】  本発明により、各種建築施設建設工事の分野に於いて、竣工時行われる検査（出来映え、仕上がり）をより効率的に改善、所定の建築施設の品質確保のための検査手段をネットワークを介して迅速確実にすることが可能になる。特に指摘不具合箇所にＱＲコードとネットワークを介して送信される検査シートの情報内容が共有され、関連が強化される。即ち、検査側と是正する協力業者間の情報伝達が的確迅速に改良されることは特筆すべきことである。
【図面の簡単な説明】
【００１１】
【図１】は携帯情報端末の平面図、キーボードのレイアウトと液晶パネル、ＱＲコード入力、読み取り機、デジタルカメラ端子を示す。
【図２】は本発明の竣工検査システムのフローチャートを示す。
【図３】は是正指示書（職種別）である。これは協力業者に送信する是正指示書、是正報告書でもある
【図４】は是正指示書（住戸別）である。
【図５】は検査シートを示す
【図６】はブロック説明書である
【図７】はブロック説明図である）
【図８】は竣工検査システム概念図である
【符号の説明】
【００１２】Ｓ−２６音声入力機能    Ｓ−２７ＱＲコード入力読み取り機能Ｓ−３液晶パネル（ＱＲコード入力情報  住戸タイプ、ＮＯ、部屋名、状況、部位）  Ｓ−４キーボード（部位）  Ｓ−５キーボード（室名）  Ｓ−６キーボード（状況）  Ｓ−７液昌パネル
Ｓ−２０是正指示書（是正確認書、職種別）  Ｓ−２１住戸ＮＯ  Ｓ−２２部位名  Ｓ−２３業者名  Ｓ−２４是正着手日  Ｓ−２５是正終了日  Ｓ−２６是正確認日  Ｓ−２７担当者
Ｂ−１１キボード  Ｂ−１２イメージスキャナー  Ｂ−１３検査結果編集機能  Ｂ−１６送自受信機能  Ｂ−１７Ｃ．Ｒ．Ｔ．  Ｂ−１８協力業者ＰＣ  Ｂ−１９携帯情報端末器  Ｂ−２０デジカメ入ウ出力部  Ｂ−２１キーボード  Ｂ−２２送受信機能  Ｂ−２３ＱＲコード音声入力読み取り機能  Ｂ−２４タッチパネル式入出力部  Ｂ−２５編集機能  Ｂ−３０送受信機能  Ｂ−３１Ｃ．Ｒ．Ｔ．  Ｂ−３２ハードデスク  Ｂ−３３キーボード  Ｂ−３４デジカメ入ウ出力部  Ｂ−３５ＱＲコード  Ｂ−３６メモリー  Ｂ−３７リダー、ライター
４０検査シート  ４１部位  ４２状況  ４３部屋名（室名）  ４４住戸ＮＯ．  ４５通しＮＯ．
５０是正指示書  ５１住戸ＮＯ  ５２部位  ５３室名
７０住戸ＮＯ．  ７１通しＮＯ  ７２部屋名（室名）  ７３状況  ７４部位
８０協力業者Ｃ．Ｐ．Ｕ．  ８１携帯情報端末器  ８２ホストＣＰＵ（管理）  ８３プロバイダー  ８４ＱＲコード  ８５デジカメ
【図１】
2005190463.tif 000003
【図２】
2005190463.tif 000004
【図３】
2005190463.tif 000005
【図４】
2005190463.tif 000006
【図５】
2005190463.tif 000007
【図６】
2005190463.tif 000008
【図７】
2005190463.tif 000009
【図８】
2005190463.tif 000010